(57)【要約】      （修正有）【課題】カウンターを高い強度で支持することができ、荷重がかかった際の撓みに起因する変形を好適に防止することが可能な対面式キッチンを提供する。【解決手段】本発明にかかる対面用キッチン１００の構成は、調理エリアの対面側に配置されて奥行き方向に延びるカウンター１１０ｂと、調理者側に配置される収納庫１０２と、収納庫の対面側に配置されてカウンターを下方から支持する対面キャビネット１２０と、を備え、対面キャビネットは、化粧板と、一対の側板１２４と、背板１２６と、化粧板１２２の背後で幅方向に延びて一対の側板に張り渡される補助幕板１２８と、補助幕板と背板との間で上下方向に延びて補助幕板を補強する支持部材と、補助幕板の下方で支持部材の前面に取り付けられるスペーサと、補助幕板とカウンターの下面とを接続するＬ字状の支持金具と、を有し、支持金具は、スペーサの前面と補助幕板の前面の両方に締結されることを特徴とする。【選択図】図３
2020075000.tif 000002
【特許請求の範囲】
【請求項１】
シンクおよびコンロが設けられた調理エリアの対面側に配置されて奥行き方向に延びるカウンターと、
調理者側に配置される収納庫と、
前記収納庫の対面側に配置されて前記カウンターを下方から支持する対面キャビネットと、
を備え、
前記対面キャビネットは、
化粧板と、
一対の側板と、
背板と、
前記化粧板の背後で幅方向に延びて前記一対の側板に張り渡される補助幕板と、
前記補助幕板と前記背板との間で上下方向に延びて該補助幕板を補強する支持部材と、
前記補助幕板の下方で前記支持部材の前面に取り付けられるスペーサと、
前記補助幕板と前記カウンターの下面とを接続するＬ字状の支持金具と、
を有し、
前記支持金具は、前記スペーサの前面と前記補助幕板の前面の両方に締結されることを特徴とする対面用キッチン。
【請求項２】
シンクおよびコンロが設けられた調理エリアの対面側に配置されて奥行き方向に延びるカウンターと、
調理者側に配置される収納庫と、
前記収納庫の対面側に配置されて前記カウンターを下方から支持する対面キャビネットと、
を備え、
前記対面キャビネットは、
化粧板と、
一対の側板と、
背板と、
前記化粧板の背後で幅方向に延びて前記一対の側板に張り渡される補助幕板と、
前記補助幕板と前記背板との間で上下方向に延びて該補助幕板を補強する支持部材と、
前記補助幕板と前記カウンターの下面とを接続するＬ字状の支持金具と、
を有し、
前記支持部材は、前記補助幕板が当たる位置に切欠きが形成されていて、該支持部材の前面と該補助幕板の前面が同じ面内にあり、
前記支持金具は、前記支持部材の前面と前記補助幕板の前面の両方に締結されることを特徴とする対面用キッチン。
【発明の詳細な説明】
【技術分野】
【０００１】
本発明は、シンクおよびコンロが設けられた調理エリアの対面側に配置されて奥行き方向に延びるカウンターを備える対面用キッチンに関する。
【背景技術】
【０００２】
近年、シンクやコンロが壁に沿うようにキッチンが壁に接して配置されている従来の壁付きキッチンに加えて、キッチンが壁から離間して配置されている対面式キッチンの需要が増している。例えば、特許文献１の対面式キッチンでは、キャビネットの上部を覆って取付けられた天板部において、前方側に位置して左右方向に延びた前方側作業領域と、後方側に位置して左右方向に延びた後方側作業領域とを確保している。かかる構成によれば、天板部の前方側作業領域および後方側作業領域において２人の使用者がそれぞれ独立して同時に作業を行うことができる。
【先行技術文献】
【特許文献】
【０００３】
【特許文献１】特開２００９−７７９４６号公報
【発明の概要】
【発明が解決しようとする課題】
【０００４】
対面式キッチンにおける新たな使用用途として、コンロやシンクが設けられている調理エリアの対面側に、テーブルとしても使用可能なカウンターを設けたいという要望がある。カウンターを設ける方法としては、キッチンの天板の奥行きを、天板の下の収納庫の奥行きよりも広くするという方法がある。しかしながら、単に天板の奥行きを広げただけであると、天板のうち、カウンターとして使用する領域に使用者が手をつく等によって荷重がかかった際にカウンターに撓みが生じてしまい、変形が生じる可能性がある。
【０００５】
本発明は、このような課題に鑑み、調理エリアの対面側に設けられたカウンターを高い強度で支持することができ、荷重がかかった際の撓みに起因する変形を好適に防止することが可能な対面式キッチンを提供することを目的としている。
【課題を解決するための手段】
【０００６】
上記課題を解決するために、本発明にかかる対面用キッチンの代表的な構成は、シンクおよびコンロが設けられた調理エリアの対面側に配置されて奥行き方向に延びるカウンターと、調理者側に配置される収納庫と、収納庫の対面側に配置されてカウンターを下方から支持する対面キャビネットと、を備え、対面キャビネットは、化粧板と、一対の側板と、背板と、化粧板の背後で幅方向に延びて一対の側板に張り渡される補助幕板と、補助幕板と背板との間で上下方向に延びて補助幕板を補強する支持部材と、補助幕板の下方で支持部材の前面に取り付けられるスペーサと、補助幕板とカウンターの下面とを接続するＬ字状の支持金具と、を有し、支持金具は、スペーサの前面と補助幕板の前面の両方に締結されることを特徴とする。
【０００７】
上記構成によれば、カウンターの奥側では、かかった荷重を対面キャビネットによって受けることができる。そして上記構成では更に、対面キャビネットの支持部材に取り付けられたスペーサとカウンターの下面とを支持金具によって接続する。これにより、カウンターの手前側にかかった荷重を、支持金具を介して支持部材ひいては対面キャビネットによって受けることができる。したがって、調理エリアの対面側に設けられたカウンターを高い強度で支持することができ、荷重がかかった際の撓みに起因する変形を好適に防止することが可能となる。
【０００８】
上記課題を解決するために、本発明にかかる対面用キッチンの他の構成は、シンクおよびコンロが設けられた調理エリアの対面側に配置されて奥行き方向に延びるカウンターと、調理者側に配置される収納庫と、収納庫の対面側に配置されてカウンターを下方から支持する対面キャビネットと、を備え、対面キャビネットは、化粧板と、一対の側板と、背板と、化粧板の背後で幅方向に延びて一対の側板に張り渡される補助幕板と、補助幕板と背板との間で上下方向に延びて補助幕板を補強する支持部材と、補助幕板とカウンターの下面とを接続するＬ字状の支持金具と、を有し、支持部材は、補助幕板が当たる位置に切欠きが形成されていて、支持部材の前面と補助幕板の前面が同じ面内にあり、支持金具は、支持部材の前面と補助幕板の前面の両方に締結されることを特徴とする。
【０００９】
かかる構成によっても、上記と同様に、カウンターの奥側にかかった荷重を対面キャビネットによって受け、カウンターの手前側にかかった荷重を、支持金具を介して対面キャビネットによって受けることができる。また支持部材に切欠きを設けて支持部材の前面と補助幕板の前面とを面一とすることにより、支持金具を取り付ける面積を広く確保することができる。これにより、スペーサを必要とすることなく支持金具を対面キャビネットに取り付けられるため、部材コストを削減し、且つ組立工程を短縮することが可能となる。
【発明の効果】
【００１０】
本発明によれば、調理エリアの対面側に設けられたカウンターを高い強度で支持することができ、荷重がかかった際の撓みに起因する変形を好適に防止することが可能な対面式キッチンを提供することができる。
【図面の簡単な説明】
【００１１】
【図１】本実施形態にかかる対面式キッチンの全体斜視図である。
【図２】本実施形態にかかる対面式キッチンの全体斜視図である。
【図３】図１および図２の断面図である。
【図４】図３（ａ）の要部拡大図である。
【図５】本実施形態のキッチンの他の例を説明する図である。
【図６】本実施形態のキッチンの他の例を説明する図である。
【発明を実施するための形態】
【００１２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１３】
図１および図２は、本実施形態にかかる対面式キッチン（以下、キッチン１００と称する）の全体斜視図である。図１は、キッチン１００の３つの対面キャビネット１２０のうち、１つを取り外した状態を示している。図２は、取り外した対面キャビネット１２０の化粧板１２２を取り外した状態を示している。
【００１４】
図１および図２に示すように、本実施形態のキッチン１００は１枚の天板１１０（ワークトップ）の下に収納庫１０２を備えている。天板１１０は合成樹脂（人工大理石）やステンレスなどからなり、キッチン１００の全体の上面を覆っている。
【００１５】
キッチン１００はいわゆるシステムキッチンであり、天板１１０には、組み込み式に取り付けられたコンロ１１２、テーブル面１１４、シンク１１６が設けられている。シンク１１６とコンロ１１２の間に位置するテーブル面１１４は、平坦な面であり、主に調理を行うのに利用される。以下、コンロ１１２、テーブル面１１４およびシンク１１６が設けられる側を調理エリア１１０ａと称する。
【００１６】
本実施形態のキッチン１００は、調理エリア１１０ａで調理をする利用者（不図示）が対向する面が壁に接していない対面式キッチンである。なお、本実施形態では、キッチン１００の短辺が壁に接していない構成（いわゆるアイランドキッチン）を例示したが、これに限定するものではない。キッチンの短辺が壁に接している対面式キッチンにおいても本発明を適用することができる。
【００１７】
上述した収納庫１０２は、調理者側すなわち調理エリア１１０ａの下方に配置される。そして本実施形態では、天板１１０が、奥行き方向で収納庫１０２よりも広く延びている。これにより、調理エリア１１０ａの対面側に、奥行き方向に延びるカウンター１１０ｂが配置される。
【００１８】
本実施形態のキッチン１００では、図１および２に示すように、収納庫１０２の対面側には、カウンター１１０ｂよりも奥行きの浅い対面キャビネット１２０が配置される。詳細には、図２に示すように、対面キャビネット１２０は前面（キッチン全体から見て対面側の面）が化粧板１２２によって構成されていて、化粧板１２２の両側には一対の側板１２４が配置される。化粧板１２２の奥側には、収納庫１０２の背板１０２ｂと接する背板１２６が配置される。
【００１９】
また化粧板１２２の背後では、幅方向に延びる補助幕板１２８が一対の側板１２４の上部に張り渡されている。化粧板１２２は側板１２４に対して着脱可能である。このため、化粧板１２２を取り外すと、対面キャビネット１２０は前面が開口された状態となる。そこで補助幕板１２８を設けることにより、開口における剛性を向上し、ひいては対面キャビネット１２０全体の強度を高めることが可能となる。
【００２０】
上述したように、カウンター１１０ｂの下方に対面キャビネット１２０を設けることにより、カウンター１１０ｂを対面キャビネット１２０によって支持することができる。これにより、カウンター１１０ｂの奥側（収納庫１０２寄りの領域）において、上方からかかった荷重を対面キャビネット１２０によって受けることができる。
【００２１】
しかしながら、カウンター１１０ｂの下に使用者が足を入れる空間を確保するために、対面キャビネット１２０の奥行きは、カウンター１１０ｂの奥行きよりも浅くする必要がある。このため、単にカウンター１１０ｂの下方に対面キャビネット１２０を配置しただけでは、荷重がかかった際のカウンター１１０ｂの手前側の撓みを十分に防ぐことは難しい。そこで発明者は、対面キャビネット１２０とカウンター１１０ｂとを、図２に示すＬ字状の支持金具１４０によって連結することを考えた。
【００２２】
しかし、側板１２４の前面に支持金具１４０を取り付けたとしても、対面キャビネット１２０の間口が広いために、カウンターの剛性が不十分である。そこで発明者は、補助幕板１２８に支持金具１４０を取り付けることを検討したが、補助幕板１２８そのものの剛性はさほど高くない。このため、カウンターが受けた荷重が支持金具にかかった際に、補助幕板１２８がその荷重に耐えられず撓んでしまう可能性がある。そこで発明者は、補助幕板１２８を補強する部材を設け、そこに支持金具１４０を取り付けることを考えた。
【００２３】
図３は、図１および図２の断面図である。図４は、図３（ａ）の要部拡大図である。図３（ａ）は、図１の断面図であり、図３（ｂ）は分解図である。本実施形態の特徴として、対面キャビネット１２０は、支持部材１３２、スペーサ１３４およびＬ字状の支持金具１４０を更に有する。図３（ａ）および（ｂ）に示すように、支持部材１３２は、補助幕板１２８と背板１２６との間で上下方向に延びる柱状の部材である。これにより、支持部材１３２によって補助幕板１２８を補強することができる。
【００２４】
ここで、図２に示すように、支持金具１４０に相応の剛性を持たせるためには、その垂直部位１４２は、補助幕板１２８の高さよりも長くなる。このため、垂直部位１４２の下端部分は補助幕板１２８よりはみ出すことになり、これに接合することができない。しかしながら、図２に示すように支持部材１３２は、補助幕板１２８より後方に配置される部材であるため、補助幕板１２８の前面と支持部材１３２との前面には奥行き方向で差が生じる。このため、垂直部位１４２の下端を支持部材１３２の前面に取り付けることができない。
【００２５】
そこで本実施形態では、補助幕板１２８の下方にスペーサ１３４を設ける。スペーサ１３４は、支持部材１３２の前面に取り付けられる部材である。これにより、図４に示すように、補助幕板１２８の下方の支持部材１３２の前面に、垂直部位１４２の下端を取り付ける台座を設けることができる。
【００２６】
上述したように支持部材１３２の前面にスペーサ１３４を取り付けたら、図４に示すように補助幕板１２８およびスペーサ１３４に支持金具１４０を取り付ける。その後、１対の側板１２４（図２参照）に化粧板１２２を取り付けることにより、支持金具１４０の水平部位１４４は化粧板１２２によって覆われた状態となる。これにより、対面キャビネット１２０の美観を好適に確保することができる。
【００２７】
化粧板１２２を側板に取り付けたら、図４に示すように、支持金具の水平部位１４４の下面に裏面用スペーサ１３６および裏面用化粧パネル１３８を配置する。これにより、支持金具１４０の水平部位１４４およびカウンター１１０ｂの下面が裏面用化粧パネル１３８によって覆われた状態となる。したがって、カウンター１１０ｂの下面の美観を好適に確保することができる。なお、裏面用化粧パネル１３８の奥側の角１３８ａは化粧板１２２の上端にかぶっていて、裏面用化粧パネル１３８を取り付けた後は化粧板１２２が取り外せないようになっている。
【００２８】
上記説明したように、本実施形態のキッチン１００によれば、支持金具１４０によって対面キャビネット１２０（スペーサ１３４）とカウンター１１０ｂの下面とが接続される。これにより、カウンター１１０ｂの手前側にかかった荷重を、支持金具１４０を介して支持部材１３２ひいては対面キャビネット１２０によって受けることができる。したがって、調理エリア１１０ａの対面側に設けられたカウンター１１０ｂを高い強度で支持することができ、荷重がかかった際の撓みに起因する変形を好適に防止することが可能となる。
【００２９】
図５および図６は、本実施形態のキッチンの他の例を説明する図である。図５は、他の例のキッチン１００ａの図４に相当する箇所を示す図である。図６は、他の例のキッチン１００ｂの図１に相当する全体図である。なお、先に説明した実施形態と共通する構成要素については、同一の符号を付すことにより重複説明を避ける。
【００３０】
図５に示すキッチン１００ａでは、図４に示した構成よりも支持部材１３２の奥行きが長くなっていて、支持部材１３２の前面と補助幕板１２８の前面が同じ面内に配置される。支持部材１３２のうち、補助幕板１２８が当たる位置には切欠き１３２ａが形成されていて、補助幕板１２８を逃げている。そして、支持金具１４０は、支持部材１３２の前面と補助幕板１２８の前面の両方に締結される。
【００３１】
上記構成によれば、スペーサ１３４（図３（ｂ）参照）を必要とすることなく、支持金具１４０を取り付ける面積を広く確保することができ、支持金具１４０を対面キャビネット１２０に良好に取り付けることが可能となる。したがって、図５のキッチン１００ａによれば、部材コストを削減し、且つ組立工程を短縮することが可能となる。
【００３２】
図６に示すキッチン１００ｂでは、図１のキッチン１００で３つ配置されていた対面キャビネット１２０のうち１つを、収納キャビネット１５０としている。収納キャビネット１５０は、カウンター１１０ｂとほぼ同じ奥行きを有し、引出１５２を備えている。これにより、カウンター１１０ｂの下方の一部を収納として利用することが可能となる。
【００３３】
また収納キャビネット１５０は、カウンター１１０ｂとほぼ同じ奥行きを有するため、カウンター１１０ｂにかかった荷重を収納キャビネット１５０全体において受けることができる。収納キャビネット１５０の側板１５０ａをカウンター１１０ｂの足として機能させることができるため、支持金具１４０や支持部材１３２を用いる必要がない。したがって、図６に示すキッチン１００ｂによれば、カウンター１１０ｂをより高い強度で支持することが可能となる。
【００３４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３５】
本発明は、シンクおよびコンロが設けられた調理エリアの対面側に配置されて奥行き方向に延びるカウンターを備える対面用キッチンに利用することができる。
【符号の説明】
【００３６】
１００…キッチン、１００ａ…キッチン、１００ｂ…キッチン、１０２…収納庫、１０２ａ…側面、１０２ｂ…背板、１１０…天板、１１０ａ…調理エリア、１１０ｂ…カウンター、１１２…コンロ、１１４…テーブル面、１１６…シンク、１２０…対面キャビネット、１２２…化粧板、１２４…側板、１２６…背板、１２８…補助幕板、１３２…支持部材、１３２ａ…切欠き、１３４…スペーサ、１３６…裏面用スペーサ、１３８…裏面用化粧パネル、１４０…支持金具、１４２…垂直部位、１４４…水平部位、１５０…収納キャビネット、１５０ａ…側板
【図１】
2020075000.tif 000003
【図２】
2020075000.tif 000004
【図３】
2020075000.tif 000005
【図４】
2020075000.tif 000006
【図５】
2020075000.tif 000007
【図６】
2020075000.tif 000008